【手続補正書】
【提出日】平成16年11月17日(2004.11.17)
【手続補正１】
【補正対象書類名】特許請求の範囲
【補正対象項目名】全文
【補正方法】変更
【補正の内容】
【特許請求の範囲】
【請求項１】
軸（１００３）と、骨部（１１１１）に係留するために指定された係留部（１００５）とを備え、前記係留部が、つる巻線に沿って延長する少なくとも１つのリブ（１０１６）を備えたセルフタッピング雄ねじ（１０１５）を備えた、義歯を保持および／または形成するための支持具であって、
係留部（１００５）が、少なくとも１つの縦長穴（１０７１）および／または縦長溝（１０５１）を具備し、前記縦長穴および／または縦長溝が、少なくとも１つのリブ（１０１６）の少なくとも１つの螺旋ですくい面（１０５３）を形成し、前記すくい面（１０５３）が、リブ（１０１６）の頂点で軸（１００３）を通り延長する直線と鋭角のすくい角βを形成し、軸（１００３）に対して半径面で前記リブ（１０１６）と同じ側で傾斜し、かつ、該半径面に対して軸（１００３）と鋭角のリード角αを形成することを特徴とする支持具。
【請求項２】
雄ねじ（１０１５）の全リブまたは各リブ（１０１６）が、係留部（１００５）の穴（１０７１）および／または溝（１０５１）もしくは複数の穴（１０７１）および／または複数の溝（１０５１）と、骨部（１１１１）から突出するために指定された支持具の端部（１００９）との間に、軸（１００３）を連続的に少なくとも１回取囲む部分を有することを特徴とする、請求項１に記載の支持具。
【請求項３】
少なくとも１つのリブ（１０１６）が、前記つる巻線を形成する螺旋（１４５１）と、頂点（１０１７）と、脚部（１４５３）と、２つの側面（１４５４）とを有し、リブの２つの互いに隣接した螺旋（１４５１）の対応する点間の距離がｓであり、かつ、全リブまたは各リブ（１０１６）が該リブの半高で軸方向の寸法ａを有し、この寸法が距離ｓの最大３０％になり、全リブまたは各リブ（１０１６）の両側面（１４５４）が軸断面で直線の側面部分を有し、前記側面部分が半径方向の直線（１４６５）と１５゜〜２５゜の角度γを形成することを特徴とする、請求項１または２に記載の支持具。
【請求項４】
角度γが１８゜〜２２゜になり、かつ、寸法ａが距離ｓの１０％〜２５％になることを特徴とする、請求項３に記載の支持具。
【請求項５】
互いに隣接した螺旋（１４５１）間に円筒形の基礎面の条溝（１４６１）が設けられ、かつ、全リブまたは各リブ（１０１６）の軸断面で直線の側面部分が、リブ（１０１６）の頂点（１０１７）を形成する弓状の部分により軸断面で連続的に互いに接続され、かつ、弓状の部分により連続的に円筒形の基礎面に接続されることを特徴とする、請求項３または４に記載の支持具。
【請求項６】
軸断面で直線の側面部分を円筒形の基礎面と接続する弓状の部分が、軸断面で曲率半径（Ｒ２）を有し、この曲率半径が少なくとも０．１ｍｍになることを特徴とする、請求項５に記載の支持具。
【請求項７】
義歯を保持および／または形成するための請求項１から６のいずれか一項に記載の支持具であって、
軸（１００３）と、骨部（１１１１）および／または主模型（１３３１）に係留するために指定された係留部（１００５）と、骨部（１１１１）および／または主模型から突出させるために指定されたヘッド部（１００７）と、軸（１００３）と共に一定の角度を形成する、係留部（１００５）とヘッド部（１００７）との間に配置された環状のショルダ面（１０２２）とを備え、係留部（１００５）が、一般に円筒形の部分（１１１１）と、前記円筒形の部分からショルダ面（１０２２）に向かう一般に拡大部分（１０１３）とを有し、
係留部（１４０５）の拡大部分（１０１３）が、軸（１００３）に沿って互いに間隔をあけた凹部（１４２５）を有することを特徴とする支持具。
【請求項８】
各凹部（１４２５）が、軸断面で１つの底部（１４２７）と、第１平面（１４２８）と、第２平面（１４２９）とを有し、第１平面（１４２８）が、この凹部（１４２５）の底部（１４２７）からショルダ面（１０２２）の方向へ軸（１００３）から離間して傾斜し、かつ、第２平面（１４２９）が、ショルダ面（１０２２）から離間した底部（１４２７）の側にあり、前記底部（１４２７）と軸（１４０３）とから離間して外側へ向い、前記凹部の軸（１００３）と共に第１平面（１４２８）より大きい角度を形成することを特徴とする、請求項７に記載の支持具。
【請求項９】
凹部（１４２５）が、軸（１４０３）を取囲む細溝により形成され、かつ、第１および第２平面（１４２８、１４２９）が、底部（１４２７）と前記底部から離間した端部とで、軸断面で弓状の部分により連続的に互いに接続されることを特徴とする、請求項７または８に記載の支持具。
【請求項１０】
義歯を保持および／または形成するための請求項１から９のいずれか一項に記載の支持具であって、
軸（１００３）と、骨部（１１１１）および／または主模型（１３３１）の中に挿入するために指定された、第１端（１００８）を形成する係留部（１００５）と、骨部（１１１１）および／または主模型（１３３１）から突出させるために指定された、前記支持具の第２端（１００９）と、軸（１００３）に対して同軸の止り穴（１０３５）とを備え、前記止り穴が、第２端（１００９）にある開口部（１０３６）と、雌ねじ（１０３７）と、底部（１０３９）と、前記底部（１０３９）と雌ねじ（１０３７）との間にある円筒形の穴部（１０３８）とを備え、該円筒形の穴部（１０３８）は、最大でも雌ねじ（１０３７）の中心径と等しい直径を有し、前記雌ねじ（１０３７）が、底部（１０３７）により近い雌ねじ（１０３７）の側にある内端部を有し、
第２端部（１００９）で開口する止り穴（１０３５）が、雌ねじ（１０３７）と円筒形の穴部（１０３８）との間にある環状の細溝（１０９１）を有し、前記細溝が、軸断面で少なくとも部分的に凹面に湾曲し、かつ、雌ねじ（１０３７）の内端部と円筒形の穴部（１０３８）との間の移行部を形成することを特徴とする支持具。
【請求項１１】
支持具が、本質的に円筒形の部分（１０１１）と、前記本質的に円筒形の部分（１０１１）および第１端部（１００８）から離間して拡大する部分（１０１３）とを有し、雌ねじ（１０３７）の内端部が、拡大部分（１０１３）の内部に配置され、かつ、細溝（１０９１）が、部分的に軸断面で拡大部分（１０１１）の外面にほぼ平行になる平面により仕切られていることを特徴とする、請求項１０に記載の支持具。
【請求項１２】
義歯を保持および／または形成するための請求項１から１１のいずれか一項に記載の支持具であって、
軸（１００３）と、骨部（１１１１）の中に挿入するために指定された、自由端（１００８）を形成する係留部（１００５）と、軸方向の止り穴（１０９３）とを備え、前記止り穴が、係留部（１００５）の自由端（１００８）にある開口部（１０９４）と、係留部（１００５）の内側にある底部（１０９５）とを有し、
止り穴（１０９３）が、底部（１０９５）で軸断面で湾曲した、開口部（１０９４）から底部（１０９５）まで本質的に止り穴（１０９３）の全軸方向にわたり先細になる平面により仕切られていることを特徴とする支持具。
【請求項１３】
義歯を保持および／または形成するための請求項７から１２のいずれか一項に記載の支持具であって、
軸（１００３）と、骨部（１１１１）の中に係留するために指定された係留部（１００５）とを備え、前記係留部（１００５）が、少なくとも１つのリブ（１０１６）を具備した雄ねじ（１０１５）を有し、前記リブが、つる巻線を形成する螺旋（１４５１）と、頂点（１０１７）と、脚部（１４５３）と、２つの側面（１４５４）とを有し、リブの２つの隣接した螺旋（１４５１）の対応する点間の距離がｓであり、かつ、全リブまたは各リブ（１０１６）が、該リブの半高で軸方向の寸法ａを有し、この軸方向の寸法が距離ｓの最大３０％になり、
全リブまたは各リブ（１０１６）の両側面（１４５４）が、軸断面で直線の側面部分を有し、前記側面部分が、半径方向の直線（１４６５）と１５゜〜２５゜の角度γを形成することを特徴とする支持具。
【請求項１４】
角度γが１８゜〜２２゜であり、かつ、寸法ａが距離ｓの１０％〜２５％であることを特徴とする、請求項１３に記載の支持具。
【請求項１５】
互いに隣接した螺旋（１４５１）間に円筒形の基礎面を有する条溝（１４６１）が設けられ、かつ、全リブまたは各リブ（１０１６）の軸断面で直線である側面部分が、リブ（１０１６）の頂点（１０１７）を形成する弓状の部分により連続的に互いに接続され、かつ、弓状の部分により連続的に円筒形の基礎面に接続されることを特徴とする、請求項１３または１４に記載の支持具。
【請求項１６】
軸断面で直線の側面部分を円筒形の基礎面と接続する弓状の部分が、軸断面で曲率半径（Ｒ２）を有し、この曲率半径が少なくとも０．１ｍｍになることを特徴とする、請求項１５に記載の支持具。
【請求項１７】
義歯を保持および／または形成するための支持具（２１、３２１、４２１、５２１、７２１、１０００）を備えた装置であって、
前記装置が、支持具（２１、３２１、４２１、５２１、７２１、１０００）に固定可能の要素（８５、９３、７９３、１１１５、１１５３、１３０１）を有し、
前記支持具が、軸（２２、３２２、４２２、５２２、７２２、１００３）と、骨部（８１、１１１１）および／または主模型（１３３１）の中に係留するために指定された係留部（２３、３２３、５２３、８２３、１００５）と、骨部（８１、１１１１）および／または主模型（１３３１）から突出させるために指定されたヘッド部（２４、３２４、５２４、７２４、１００７）と、係留部（２３、３２３、５２３、８２３、１００５）とヘッド部（２４、３２４、５２４、７２４、１００７）との間に配置され、軸（２２、３２２、４２２、５２２、７２２、１００３）と共に一定の角度を形成する環状のショルダ面（３７、４３７、１０２２）とを備え、前記ヘッド部（２４、３２４、５２４、７２４、１００７）が円周面（６０、１０３０）ならびに前面（６５、７６５、１０３１）を有し、
ヘッド部（２４、３２４、５２４、７２４、１００７）が複数の、円周面および／または前面（６０、６５、７６５、１０３０、１０３１）に配置された、軸（２２、３２２、４２２、５２２、６２２、１００３）周りを交互に連続する複数の突出部（６７、５６６、５６７、７８６、７８７、１０６７）と、空隙（６８、６９、３６８、３６９、５６８、５６９、７７８、７７９、７８８、７８９、９４８、１０６８、１０６９）とを有し、
前記要素（８５、９３、７９３、１１１５、１１５３、１３０１）が、ショルダ面（３７）に載置するために指定された支持面（１０４、２６４）を有し、かつ、ヘッド部がショルダ面（３７）に載置されたとき、ヘッド部を横断面で取囲むことを特徴とする装置。
【請求項１８】
ヘッド部（２４、３２４、７２６）が前記前面（６５）を形成する自由端と、一般に軸（２２）に対して平行の部分（６３）と、一般に軸（２２）に対して平行の前記部分（６３）から離間してヘッド部（２４）の自由端に向かって先細になる、一般に円錐形の部分（６４）とを有し、かつ、空隙（６８、６９）が少なくとも部分的に、一般に円錐形の部分（６４）にあり、要素（９３）が支持具（２１）に接続された状態で間隙なしにショルダ面（３７）に載置され、かつ、ヘッド部（２４）の一般に円錐形の部分（５３）で多くともわずかなクリアランスを有して、少なくとも部分的に前記ヘッド部（２４）により支持されていることを特徴とする、請求項１７に記載の装置。
【請求項１９】
要素（９３）が、支持具（２１、３２１、４２１、５２１、７２１）の空隙（６８、６９、３６８、３６９、５６８、５６９、７７８、７７９、７８８、７８９、９４８）の中に係合するための少なくとも１つの突出部（１０６、１６６、１６７、６０６、９７６）を有し、かつ、少なくとも１つの回転位置で軸（２２、３２２、４２２、５２２、７２２）に対して位置決め可能に、かつ、該軸周りの回転に対して固定可能であることを特徴とする、請求項１７または１８に記載の装置。
【請求項２０】
要素（９３）が、少なくとも２つの突出部（１０６）を有し、前記突出部が等しく形成され、かつ、前記要素（９３）が軸（２２、３２２、４２２、５２２、７２２）に対して様々な回転位置で位置決め可能なように配分されていることを特徴とする、請求項１７または１８に記載の装置。
【請求項２１】
空隙（６８、６９）が複数の等しい寸法の第１空隙（６８）と、少なくとも一方向に第１空隙（６８）よりも大きい寸法を有する第２の空隙（６９）とを有し、要素（１５３、１９３）が突出部（１６７、２０７）を有し、前記突出部が、支持具（２１、３２１、４２１、５２１、７２１）の第１空隙（６８、３６８、５６８、７７８、７８８）の１つではなく、第２空隙（６９、３６９、５６９、７７９、７８９）に係合するように構成されかつ寸法決めされ、その結果、要素（１５３、１９３）が、軸（２２、３２２、４２２、５２２、７２２）に対して支持具（２１、３２１、４２１、５２１、７２１）の唯一の回転位置でのみ位置決め可能であることを特徴とする、請求項１７から２０のいずれか一項に記載の装置。
【請求項２２】
要素（１５３）がショルダ面（３７）に載置された状態で、空隙（６８、６９、３６８、３６９、５６８、５６９、７７８、７７９、７８８、７８９、９４８）のいずれにも係合しないことを特徴とする、請求項１７または１８に記載の装置。
【請求項２３】
要素が、上部構造要素（９３）または模型要素（１３０１）または生着要素（８５）の少なくとも１つの部分を形成し、または焼灼可能であり、かつ、上部構造要素の製造に利用されることを特徴とする、請求項１７から２２のいずれか一項に記載の装置。
【請求項２４】
支持具を備える義歯を保持または形成するための装置であって、前記支持具が、支持軸（１００３）と支持具（１０００）に取り付け可能なキャップ（１１６１）とを有し、
前記支持具（１０００）が、支持具が使用されるとき、骨部（１１１１）または主模型に支持具を係留するための係留部と、円周面および前面を有するヘッド部（１００７）と、前記係留部と前記ヘッド部（１００７）との間に配置され、前記支持軸（１００３）と一定の角度を形成する環状ショルダ面（１０２２）とを備え、
前記ヘッド部（１００７）が、支持具が使用されるとき、前記骨部（１１１１）または主模型から突出し、
前記キャップ（１１６１）が、前記ショルダ面（１０２２）と接触し、かつ前記支持軸（１００３）を取り囲む支持面（１１６４）を有し、前記支持面（１１６４）が、前記キャップ（１１６１）が前記ショルダ面（１０２２）に載置されたとき、前記支持軸（１００３）に対して同軸であり、
前記キャップ（１１６１）が、さらに、第１の外面部（１２７１）および第２の外面部（１２７３）を有し、前記第１の外面部（１２７１）は、前記支持軸（１００３）と一般に回転対称であり、前記第２の外面部（１２７３）は、前記支持軸（１００３）と一定の角度を形成するキャップ軸（１２７５）とほぼ同軸である装置。
【請求項２５】
前記ヘッド部（１００７）が、前記支持軸（１００３）の周りに交互に配置された複数の突出部および空隙（１０６８）を有し、キャップ（１１６１）は、位置決め突出部を有し、該位置決め突出部は、キャップ（１１６１）が支持具のショルダ面（１０２２）に載置されたとき、前記ヘッド部（１００７）の空隙（１０６８）と係合し、かつ支持具に対する支持軸（１００３）の周りのキャップ（１１６１）の回転を防止する、請求項２４に記載の装置。
【請求項２６】
ヘッド部（１００７）の空隙（１０６８）が、複数の等しい寸法の第１空隙（１０６８）と、少なくとも一方向に第１空隙（１０６８）よりも大きい寸法を有する第２の空隙（１０６９）とを有する、請求項２５に記載の装置。
【請求項２７】
ヘッド部（１００７）の空隙（１０６８）およびキャップ（１１６１）の位置決め突出部（１２４３）は、キャップ（１１６１）が支持具のショルダ面（１０２２）に載置されたとき、キャップ（１１６１）が、前記支持軸（１００３）に対して様々な回転位置で支持具に位置決め可能であるように構成される、請求項２６に記載の装置。
【請求項２８】
キャップ（１１６１）は、内部空間を有し、該内部空間は、スルーホールによって形成され、キャップ（１１６１）が支持具のショルダ面に載置されたとき、支持軸に対して一般的に回転対称である、請求項２４から２７のいずれか一項に記載の装置。
【請求項２９】
キャップ（１１６１）を支持具に取り付けるためのねじ（１１７１）をさらに備え、支持具は、前記支持軸（１００３）と同軸である穴を有し、前記穴は、雌ねじとヘッド部（１００７）の前面に開口する開口を有し、前記ねじ（１１７１）は、ねじ頭とねじ切り部とを備え、キャップ（１１６１）が支持具に取り付けられたとき、キャップ（１１６１）は支持具のショルダ面（１０２２）に載置され、ねじ頭は、キャップ（１１６１）の内部空間に配置され、ねじ切り部は、支持具の雌ねじとかみ合う、請求項２８に記載の装置。
【手続補正２】
【補正対象書類名】明細書
【補正対象項目名】０１０２
【補正方法】削除
【補正の内容】
【手続補正３】
【補正対象書類名】図面
【補正対象項目名】図５０
【補正方法】変更
【補正の内容】
【図５０】
2004000780.tif 000001